(57)【特許請求の範囲】
【請求項１】
認証システムと操作用携帯端末装置によって操作される制御システムとを備えた操作管理システムにおいて，
上記制御システムは，認証用区域の外に配置されており，
上記認証システムが，
操作用携帯端末装置が上記認証用区域に入ったことに応じて，操作用携帯端末装置から送信される操作用携帯端末装置に固有の端末識別情報を受信する第１の端末識別情報受信手段，および
上記第１の端末識別情報受信手段において受信した端末識別情報を，上記認証用区域の外に配置されている上記制御システムに送信する端末識別情報送信手段を備え，
上記制御システムが，
上記認証システムの上記端末識別情報送信手段から送信された端末識別情報を受信する第２の端末識別情報受信手段，
上記第２の端末識別情報受信手段において受信した端末識別情報を一定期間の間記憶する第１の端末識別情報記憶手段，
操作用携帯端末装置から送信される操作用携帯端末装置に固有の端末識別情報を受信する第３の端末識別情報受信手段，および
上記第３の端末識別情報受信手段において受信した端末識別情報が上記第１の端末識別情報記憶手段に記憶されていることに応じて，操作用携帯端末装置による制御システムの操作を許可する許可手段，
を備えた操作管理システム。
【請求項２】
上記認証システムが，
上記第１の端末識別情報受信手段において受信した端末識別情報を記憶する第２の端末識別情報記憶手段，および
上記第２の端末識別情報記憶手段に記憶されている端末識別情報のうち，記憶後一定期間経過した端末識別情報を特定する特定コマンドを上記制御システムに送信する特定コマンド送信手段をさらに備え，
上記制御システムが，
上記認証システムの上記特定コマンド送信手段から送信された特定コマンドを受信する特定コマンド受信手段，および
上記第１の端末識別情報記憶手段に記憶されている端末識別情報のうち，上記特定コマンド受信手段によって受信した特定コマンドによって特定される端末識別情報を消去する第１の消去手段，
をさらに備えた請求項１に記載の操作管理システム。
【請求項３】
上記制御システムが，
上記第１の消去手段によって端末識別情報が消去されたことに応じて，消去終了データを上記認証システムに送信する消去終了データ送信手段をさらに備え，
上記認証システムが，
上記制御システムの上記消去終了データ送信手段から送信された消去終了データを受信する消去終了データ受信手段，および
上記消去終了データ受信手段によって消去終了データを受信したことに応じて，特定コマンドによって特定される端末識別情報を，上記第２の端末識別情報記憶手段から消去する第２の消去手段，
をさらに備えた請求項２に記載の操作管理システム。
【請求項４】
上記認証システムが，
操作用携帯端末装置が上記認証用区域に入ったことに応じて，認証処理を行う認証手段をさらに備え，
上記認証システムの上記端末識別情報送信手段は，
上記認証手段によって認証されたことに応じて端末識別情報を上記制御システムに送信するものである，
請求項１から３のうち，いずれか一項に記載の操作管理システム。
【請求項５】
上記認証システムの上記第１の端末識別情報受信手段および上記制御システムの上記第３の端末識別情報受信手段は，無線ＬＡＮを介して操作用携帯端末装置から送信される端末識別情報を受信するものである，
請求項１から４のうち，いずれか一項に記載の操作管理システム。
【請求項６】
上記制御システムが，
上記操作用携帯端末装置と無線ＬＡＮを介して通信するための無線ＬＡＮ情報を記憶する第１の無線ＬＡＮ情報記憶手段をさらに備え，
上記認証システムが，
上記制御システムの上記第１の無線ＬＡＮ情報記憶手段に記憶されている無線ＬＡＮ情報を記憶する第２の無線ＬＡＮ情報記憶手段，および
操作用携帯端末装置が上記認証用区域に入ったことに応じて上記第２の無線ＬＡＮ情報記憶手段に記憶されている無線ＬＡＮ情報を操作用携帯端末装置に送信する無線ＬＡＮ情報送信手段，
をさらに備えた請求項５に記載の操作管理システム。
【請求項７】
上記制御システムは，
上記制御システムの上記第１の無線ＬＡＮ情報記憶手段に記憶されている無線ＬＡＮ情報を一定期間ごとに更新する第１の更新手段をさらに備え，
上記認証システムは，
上記認証システムの上記第２の無線ＬＡＮ情報記憶手段に記憶されている無線ＬＡＮ情報を一定期間ごとに更新する第２の更新手段，
をさらに備えた請求項６に記載の操作管理システム。
【請求項８】
上記認証システムは，
上記第２の更新手段によって上記第２の無線ＬＡＮ情報記憶手段に記憶されている無線ＬＡＮ情報が更新されたことに応じて更新された内容を上記制御システムに送信する更新内容送信手段をさらに備え，
上記制御システムは，
上記認証システムの上記更新内容送信手段から送信された更新内容を受信する更新内容受信手段をさらに備え，
上記制御システムの第１の更新手段は，
上記更新内容受信手段によって受信した更新内容に上記第１の無線ＬＡＮ情報記憶手段を更新するものである，
請求項７に記載の操作管理システム。
【請求項９】
上記操作管理システムは，操作用携帯端末装置をさらに備え，
操作用携帯端末装置は，
上記認証システムの上記無線ＬＡＮ情報送信手段から送信された無線ＬＡＮ情報を受信する無線ＬＡＮ情報受信手段，および
上記無線ＬＡＮ情報受信手段によって受信した無線ＬＡＮ情報を操作用携帯端末装置に設定する無線ＬＡＮ情報設定手段，
をさらに備えた請求項６から８のうち，いずれか一項に記載の操作管理システム。
【請求項１０】
操作用携帯端末装置が認証用区域に入ったことに応じて，操作用携帯端末装置から送信される操作用携帯端末装置に固有の端末識別情報が認証システムにおいて受信され，その端末識別情報が認証システムから上記認証用区域の外に配置されている制御システムに送信され，認証システムから送信された端末識別情報を受信する第１の端末識別情報受信手段，
上記第１の端末識別情報受信手段において受信した端末識別情報を一定期間の間記憶する端末識別情報記憶手段，
操作用携帯端末装置から送信される操作用携帯端末装置に固有の端末識別情報を受信する第２の端末識別情報受信手段，および
上記第２の端末識別情報受信手段において受信した端末識別情報が上記端末識別情報記憶手段に記憶されていることに応じて，操作用携帯端末装置による制御システムの操作を許可する許可手段，
を備えた制御システム。
【請求項１１】
第１の端末識別情報受信手段が，操作用携帯端末装置が認証用区域に入ったことに応じて，操作用携帯端末装置から送信される操作用携帯端末装置に固有の端末識別情報が認証システムにおいて受信され，その端末識別情報が認証システムから上記認証用区域の外に配置されている制御システムに送信され，認証システムから送信された端末識別情報を受信し，
端末識別情報記憶手段が，上記第１の端末識別情報受信手段において受信した端末識別情報を一定期間の間記憶し，
第２の端末識別情報受信手段が，操作用携帯端末装置から送信される操作用携帯端末装置に固有の端末識別情報を受信し，
許可手段が，上記第２の端末識別情報受信手段において受信した端末識別情報が上記端末識別情報記憶手段に記憶されていることに応じて，操作用携帯端末装置による制御システムの操作を許可する，
制御システムの動作制御方法。
【発明の詳細な説明】
【技術分野】
【０００１】
この発明は，操作管理システムならびに制御システムおよびその動作制御方法に関する。
【背景技術】
【０００２】
Ｘ線撮像システムなどの医療機器を無線ＬＡＮ経由で，スマートフォンなどの携帯端末を用いて操作するシステムが考えられつつある。携帯端末を無線ＬＡＮに接続する場合に，安全かつ手軽に認証を行う要望がある。一般的には，ＩＤとパスワードとを利用してユーザ認証が行われるが，無線ＬＡＮに接続するたびにＩＤとパスワードとを入力する必要があるので，ユーザにとってかなり面倒となる。また，無線ＬＡＮではアクセス・ポイントに一つのパスワードしか設定できないので，複数のユーザが利用する場合には，一つのパスワードを複数のユーザが利用することとなる。このため，セキュリティが低下する。
【０００３】
また，携帯電話から，ユーザ識別情報とユーザの居る場所を識別する情報とが認証用提供サーバに送信され，その結果にもとづいてアクセス・ポイントの認証情報を通知するもの（特許文献１），ＮＦＣ（Near Field Communication）を用いて無線ＬＡＮ接続設定を行い，ＮＦＣを用いた電子マネー技術を適用したネットワーク接続サービスの利用料金の決済処理を行うもの（特許文献２）などもある。
【０００４】
さらに，不正な無線ＬＡＮ接続を防止するもの（特許文献３），無線端末がアクセスポイント間をハンドオーバした際に認証によってアクセスポイントと無線端末との間の通信が途切れないようにするもの（特許文献４）などもある。
【先行技術文献】
【特許文献】
【０００５】
【特許文献１】特開2008-22208号公報
【特許文献２】特開2009-260666号公報
【特許文献３】特開2007-150519号公報
【特許文献４】特開2003-259417号公報
【発明の概要】
【発明が解決しようとする課題】
【０００６】
引用文献１に記載のものでは，携帯電話を用いてユーザがユーザ識別情報を送信しなければならず，手間がかかってしまう。また，引用文献２から４に記載のものにおいても，認証においてユーザの負担は軽減されていない。
【０００７】
この発明は，操作用携帯端末装置を用いて制御システムを操作する場合において，比較的簡単に操作の認証を行うようにすることを目的とする。
【課題を解決するための手段】
【０００８】
この発明は，認証システムと操作用携帯端末装置によって操作される制御システムとを備えた操作管理システムについてのものである。
【０００９】
上記認証システムは，操作用携帯端末装置が認証用区域に入ったことに応じて（認証用ゲートを通過した場合でもよいし，認証用室内に入った場合でもよい。室内など，壁などによって区切られた空間でなくともよい。），操作用携帯端末装置から送信される操作用携帯端末装置に固有の端末識別情報を受信する第１の端末識別情報受信手段，および上記第１の端末識別情報受信手段において受信した端末識別情報を，上記制御システムに送信する端末識別情報送信手段を備えている。
【００１０】
上記制御システムは，上記認証システムの上記端末識別情報送信手段から送信された端末識別情報を受信する第２の端末識別情報受信手段，上記第２の端末識別情報受信手段において受信した端末識別情報を一定期間の間記憶する第１の端末識別情報記憶手段，操作用携帯端末装置から送信される操作用携帯端末装置に固有の端末識別情報を受信する第３の端末識別情報受信手段，および上記第３の端末識別情報受信手段において受信した端末識別情報が上記第１の端末識別情報記憶手段に記憶されていることに応じて，操作用携帯端末装置による制御システムの操作を許可する許可手段を備えている。
【００１１】
操作管理システムを構成する認証システムおよび制御システムを，それぞれ単独で構成してもよい。
【００１２】
また，この発明は，制御システムの動作制御方法も提供している。すなわち，第１の端末識別情報受信手段が，操作用携帯端末装置が認証用区域に入ったことに応じて，操作用携帯端末装置から送信される操作用携帯端末装置に固有の端末識別情報が認証システムにおいて受信され，その端末識別情報が認証システムから制御システムに送信され，認証システムから送信された端末識別情報を受信し，端末識別情報記憶手段が，上記第１の端末識別情報受信手段において受信した端末識別情報を一定期間の間記憶し，第２の端末識別情報受信手段が，操作用携帯端末装置から送信される操作用携帯端末装置に固有の端末識別情報を受信し，許可手段が，上記第２の端末識別情報受信手段において受信した端末識別情報が上記端末識別情報記憶手段に記憶されていることに応じて，操作用携帯端末装置による制御システムの操作を許可するものである。
【００１３】
この発明によると，操作用携帯端末装置が認証用区域に入ると，操作用携帯端末装置から送信される操作用携帯端末装置に固有の端末識別情報が認証システムにおいて受信される。受信した端末識別情報が認証システムから制御システムに送信される。制御システムにおいて，認証システムから送信された端末識別情報が受信されると，一定期間の間，第１の端末識別情報記憶手段に記憶させられる。操作用携帯端末装置から制御システムに接続要求があると，操作用携帯端末装置から送信される端末識別情報が制御システムにおいて受信される。受信した端末識別情報が第１の端末識別情報記憶手段に記憶されていると，その端末識別情報を送信した操作用携帯端末装置は認証用区域に入ったものであると考えられる。操作用携帯端末装置をもって認証用区域に入ることのできるユーザは，制御システムを操作する権限を有するものと考えられるので，操作用携帯端末装置を用いて制御システムを操作できるようになる。操作用携帯端末装置をもって認証用区域に入るだけで，制御システムの認証を行うことができるようになる。
【００１４】
上記認証システムは，上記第１の端末識別情報受信手段において受信した端末識別情報を記憶する第２の端末識別情報記憶手段，および上記第２の端末識別情報記憶手段に記憶されている端末識別情報のうち，記憶後一定期間経過した端末識別情報を特定する特定コマンドを上記認証システムに送信する特定コマンド送信手段をさらに備えてもよい。
【００１５】
また，上記制御システムが，上記認証システムの上記特定コマンド送信手段から送信された特定コマンドを受信する特定コマンド受信手段，および上記第１の端末識別情報記憶手段に記憶されている端末識別情報のうち，上記特定コマンド受信手段によって受信した特定コマンドによって特定される端末識別情報を消去する第１の消去手段をさらに備えてもよい。
【００１６】
上記制御システムが，上記第１の消去手段によって端末識別情報が消去されたことに応じて，消去終了データを上記認識システムに送信する消去終了データ送信手段をさらに備え，上記認証システムが，上記制御システムの上記消去終了データ送信手段から送信された消去終了データを受信する消去終了データ受信手段，および上記消去終了データ受信手段によって消去終了データを受信したことに応じて，特定コマンドによって特定される端末識別情報を，上記第２の端末識別情報記憶手段から消去する第２の消去手段をさらに備えるようにしてもよい。
【００１７】
上記認証システムが，操作用携帯端末装置が認証用区域に入ったことに応じて，認証処理を行う認証手段をさらに備えてもよい。この場合，上記認証システムの上記第１の端末識別情報送信手段は，たとえば，上記認証手段によって認証されたことに応じて端末識別情報を上記制御システムに送信するものである。
【００１８】
上記認証システムの上記第１の端末識別情報受信手段および上記制御システムの上記第３の端末識別情報受信手段は，たとえば，無線ＬＡＮを介して操作用携帯端末装置から送信される端末識別情報を受信するものである。
【００１９】
上記制御システムが，上記操作用携帯端末装置と無線ＬＡＮを介して通信するための無線ＬＡＮ情報を記憶する第１の無線ＬＡＮ情報記憶手段をさらに備え，上記認証システムが，上記制御システムの上記第１の無線ＬＡＮ情報記憶手段に記憶されている無線ＬＡＮ情報を記憶する第２の無線ＬＡＮ情報記憶手段，および操作用携帯端末装置が認証用区域に入ったことに応じて上記第２の無線ＬＡＮ情報記憶手段に記憶されている無線ＬＡＮ情報を操作用携帯端末装置に送信する無線ＬＡＮ情報送信手段をさらに備えてもよい。
【００２０】
上記制御システムは，上記制御システムの上記第１の無線ＬＡＮ情報記憶手段に記憶されている無線ＬＡＮ情報を一定期間ごとに更新する第１の更新手段をさらに備え，上記認証システムは，上記認証システムの上記第２の無線ＬＡＮ情報記憶手段に記憶されている無線ＬＡＮ情報を一定期間ごとに更新する第２の更新手段をさらに備えてもよい。
【００２１】
上記認証システムは，上記第２の更新手段によって上記第２の無線ＬＡＮ情報記憶手段に記憶されている無線ＬＡＮ情報が更新されたことに応じて更新された内容を上記制御システムに送信する更新内容送信手段をさらに備えてもよい。この場合，上記制御システムは，上記認証システムの上記更新内容送信手段から送信された更新内容を受信する更新内容受信手段をさらに備え，上記制御システムの第１の更新手段は，たとえば，上記更新内容受信手段によって受信した更新内容に上記第１の無線ＬＡＮ情報記憶手段を更新するものである。
【００２２】
上記管理システムは，操作用携帯端末装置をさらに備えてもよい。この場合，操作用携帯端末装置は，たとえば，上記認証システムの上記無線ＬＡＮ情報送信手段から送信された無線ＬＡＮ情報を受信する無線ＬＡＮ情報受信手段，および上記無線ＬＡＮ情報受信手段によって受信した無線ＬＡＮ情報を操作用携帯端末装置に設定する無線ＬＡＮ情報設定手段をさらに備える。
【図面の簡単な説明】
【００２３】
【図１】病院内の医局，第１検査室，第２検査室および第３検査室との関係を示している。
【図２】携帯端末の電気的構成を示すブロック図である。
【図３】認証システムの電気的構成を示すブロック図である。
【図４】無線ＬＡＮ認証情報テーブルの一例である。
【図５】携帯端末情報テーブルの一例である。
【図６】検査制御システムの電気的構成を示すブロック図である。
【図７】携帯端末の処理手順を示すフローチャートである。
【図８】認証システムの処理手順を示すフローチャートである。
【図９】検査制御システムの処理手順を示すフローチャートである。
【図１０】携帯端末の処理手順を示すフローチャートである。
【図１１】検査制御システムの処理手順を示すフローチャートである。
【図１２】認証システムの処理手順を示すフローチャートである。
【図１３】検査制御システムの処理手順を示すフローチャートである。
【図１４】携帯端末の電気的構成を示すブロック図である。
【図１５】認証システムの電気的構成を示すブロック図である。
【図１６】（Ａ）および（Ｂ）は検査制御システム無線ＬＡＮ情報テーブルの一例である。
【図１７】制御システムの電気的構成を示すブロック図である。
【図１８】携帯端末の処理手順を示すフローチャートである。
【図１９】認証システムの処理手順を示すフローチャートである。
【図２０】携帯端末の処理手順を示すフローチャートである。
【図２１】検査制御システムの処理手順を示すフローチャートである。
【図２２】無線ＬＡＮ設定画像の一例である。
【図２３】認証システムの処理手順を示すフローチャートである。
【図２４】検査制御システムの処理手順を示すフローチャートである。
【図２５】（Ａ）および（Ｂ）は無線ＬＡＮ認証テーブルの一例である。
【実施例】
【００２４】
図１は，この発明の実施例を示すもので，操作管理システムの全体構成図を示している。
【００２５】
この実施例は，病院における検査装置などの医療機器を，無線ＬＡＮ経由で携帯端末を用いて操作するものである。
【００２６】
病院の医療関係者のみが入ることが許される医局10（認証室）の室内には，認証システム11が配置されている。医局10内には認証システム11によって無線ＬＡＮ（ローカル・エリア・ネットワーク）が張り巡らされており，携帯端末をもったユーザが医局10内に入ることにより認証が行われ，無線ＬＡＮを利用して携帯端末と認証システム11とが通信可能となる。認証システム11への接続方法はWEP，WAPなどの認証をしてもよいし，医局10へは医療関係者しか入室できないので認証無しでもよい。
【００２７】
病院には第１検査室30，第２検査室60，第３検査室70などが設けられている。第１検査室30はＸ線画像診断室である。第１検査室30には，Ｘ線画像診断装置50およびＸ線画像診断装置50を制御する検査制御システム31が配置されている。第２検査室60はマンモグラフィー検査室である。第２検査室60には，マンモグラフィー62およびマンモグラフィー62を制御する検査制御システム61が配置されている。第３検査室70は，内視鏡検査室である。第３検査室70には内視鏡72および内視鏡72を制御する検査制御システム71が配置されている。
【００２８】
第１検査室30，第２検査室60および第３検査室70には，検査制御システム31，61および71によって無線ＬＡＮが張り巡らされている。携帯端末をもったユーザが第１検査室30，第２検査室60または第３検査室70に入ることにより，無線ＬＡＮを利用して携帯端末と検査制御システム31，61または71とが通信可能となる。
【００２９】
この実施例では，医局10の認証システム11において認証された携帯端末は，第１検査室30，第２検査室60および第３検査室70のすべてにおいて認証無しで検査制御システム31，61および71を操作することができる。これに対して，医局10の認証システム11において認証されていない携帯端末は，第１検査室30，第２検査室60および第３検査室70の検査制御システム31，61および71を操作することができない。たとえば，携帯端末１を持ったユーザが医局10に入ると，その携帯端末１が認証される。その携帯端末１を用いて第１検査室30，第２検査室60または第３検査室70に入ると，携帯端末１を用いて検査制御システム31，61または71を操作できる。したがって，携帯端末１を用いてＸ線画像診断装置50，マンモグラフィー62および内視鏡72を操作できるようになる。携帯端末２を持ったユーザが医局10に入らずに第１検査室30，第２検査室60または第３検査室70に入っても，その携帯端末２を用いて検査制御システム31，61または71を操作することはできない。
【００３０】
このように，この実施例では，携帯端末を持って医局10に入るだけで，第１検査室30の検査制御システム31，第２検査室60の検査制御システム61および第３検査室70の検査制御システム71を，携帯端末を用いて操作できるようになる。携帯端末を持って医局に入らなければ，第１検査室30の検査制御システム31，第２検査室60の検査制御システム61および第３検査室70の検査制御システム71を，携帯端末を用いて操作できない。詳しくは，以下の説明によって明らかとなろう。入管管理，医局10に入出する際のカード認証などと組み合わせ物理的に認証強度を向上させることもできる。
【００３１】
図２は，携帯端末１の電気的構成を示すブロック図である。携帯端末２の電気的構成も同様である。
【００３２】
携帯端末１の全体動作は，ＣＰＵ３によって統括される。
【００３３】
携帯端末１には，所定のデータを記憶するメモリ４，表示装置５，表示装置５の表示画面上に形成されているタッチ・パネル６および無線ＬＡＮを利用して通信するための無線ＬＡＮ送受信装置７が含まれている。タッチ・パネル６から携帯端末１に，操作などの所望の指令が入力される。
【００３４】
図３は，認証システム11の電気的構成を示すブロック図である。
【００３５】
認証システム11の全体の動作は，ＣＰＵ12によって統括される。
【００３６】
認証システム11には，所定のデータを記憶するメモリ13，無線ＬＡＮ認証制御装置14，通信制御装置15，無線ＬＡＮ送受信装置16，携帯端末情報制御装置17および携帯端末情報送受信装置18が含まれている。また，認証システム11には，無線ＬＡＮ認証情報テーブルおよび携帯端末情報テーブルがそれぞれ格納されているハードディスク19および20（共通のハードディスクでよい）も含まれている。
【００３７】
図４は，データベース19に格納されている無線ＬＡＮ認証情報テーブルの一例である。
【００３８】
無線ＬＡＮ認証情報テーブルには，認証システム11において用いられる無線ＬＡＮのSSID（Service Set Identifier），認証方式およびパスワードが格納されている。無線ＬＡＮ認証情報テーブルに格納されている無線ＬＡＮ認証情報を用いて，医局10に入ってきたユーザが持っている携帯端末の無線ＬＡＮ認証が行われる。
【００３９】
図５は，データベース20に格納されている携帯端末情報テーブルの一例である。
【００４０】
携帯端末情報テーブルには，認証システム11において認証された携帯端末のＭＡＣ（Media Access Control）（端末識別情報）アドレスとその接続日（認証日時）とが対応して格納されている。携帯端末認証情報テーブルに格納されているＭＡＣアドレスをもつ携帯端末が上述したように第１検査室30，第２検査室60または第３検査室70の検査制御システム31，60または71を制御できるようになる。
【００４１】
図６は，第１検査室30に配置されている検査制御システム31の電気的構成を示すブロック図である。第２検査室60または第３検査室70に配置されている検査制御システム61または71も同様の構成である。
【００４２】
検査制御システム31の全体の動作は，ＣＰＵ32によって統括される。
【００４３】
検査制御システム31には，所定のデータを記憶するメモリ33，通信制御装置35，無線ＬＡＮ送受信装置36，携帯端末情報送受信装置37，携帯端末情報制御装置38および無線ＬＡＮ認証制御装置39が含まれている。また，検査制御システム31には，認証システム11に格納されている携帯端末情報テーブルと同じ携帯端末情報テーブルを格納するデータベース40も含まれている。
【００４４】
図６には，検査制御システム31によって制御されるＸ線画像診断装置50も図示されている。
【００４５】
Ｘ線画像診断装置50には通信制御装置51が含まれている。検査制御システム31に含まれている通信制御装置35とＸ線画像診断装置50に含まれている通信制御装置51とが通信し，検査制御システム31によってＸ線画像診断装置50が制御される。
【００４６】
以下，携帯端末１を持ったユーザが医局10内に入った後に，第１検査室30に入り携帯端末１を用いて検査制御システム31を操作できるようになるまでの処理について説明する。同様に第２検査室60または第３検査室70に入り，検査制御システム61または71を操作できるようになる。
【００４７】
図７から図９は，携帯端末情報テーブルにＭＡＣアドレスを格納する処理手順を示している。図７は携帯端末１の処理手順を示すフローチャート，図８は認証システムの処理手順を示すフローチャート，図９は検査制御システムの処理手順を示すフローチャートである。
【００４８】
携帯端末１を持ったユーザが医局10内に入ると，医局10内で携帯端末１にSSIDおよびパスワードが入力される（図７ステップ81）。ユーザには，あらかじめ医局10内の無線ＬＡＮで使用されるSSIDおよびパスワードが知らされているのはいうまでもない。すると，携帯端末１に付与されているＭＡＣアドレスがメモリ４から読み出され，読み出されたＭＡＣアドレスならびに携帯端末１に入力されたSSIDおよびパスワードが，無線ＬＡＮ送受信装置７によって認証システム11に送信される（図７ステップ82）。
【００４９】
携帯端末１から送信されたＭＡＣアドレス，SSIDおよびパスワードが認証システム11の無線ＬＡＮ送受信装置16によって受信される（図８ステップ91）。データベース19に格納されている無線ＬＡＮ認証情報テーブルが無線ＬＡＮ認証制御装置14によって読み出され，読み出された無線ＬＡＮ認証情報テーブルに格納されているSSIDおよびパスワードと受信したSSIDおよびパスワードとが一致するかどうかの認証処理が無線ＬＡＮ認証制御装置14によって行われる（図８ステップ92）。
【００５０】
SSIDおよびパスワードのいずれかでも一致しなければ認証失敗として（図８ステップ93でＮＯ），接続失敗を示すデータが認証システム11から携帯端末１に送信される。
【００５１】
SSIDおよびパスワードのいずれも一致すると認証成功となる。認証が成功すると（図８ステップ93でＹＥＳ），受信した携帯端末１のＭＡＣアドレスが携帯端末情報制御装置17によって携帯端末情報テーブルに格納される（図８ステップ95）。また，ＭＡＣアドレスが携帯端末情報テーブルに格納された日時も接続日として携帯端末情報テーブルに格納される。認証システム11には時計（図示略）があり，その時計から読み取られた日時が携帯端末情報テーブルに格納されるのはいうまでもない。さらに，受信したＭＡＣアドレスがすべての検査制御システム31，61および71に携帯端末情報送受信装置18から送信される（図８ステップ96）。さらに，接続（認証）成功を示すデータが認証システム11の無線ＬＡＮ送受信装置16から携帯端末１に送信される（図８ステップ97）。
【００５２】
認証システム11から送信された接続成功または接続失敗を示すデータが携帯端末１において受信される（図７ステップ83）。接続成功または接続失敗の文字列等が携帯端末１の表示装置５の表示画面に表示される。接続失敗のときには，必要に応じて再接続が行われることとなろう。
【００５３】
図９を参照して，認識システム11から送信されたＭＡＣアドレスが検査制御システム31の携帯端末情報送受信装置37において受信されると（ステップ101），携帯端末情報制御装置38によって受信したＭＡＣアドレスがデータベース40に格納されている携帯情報テーブルに格納される（ステップ102）。検査制御システム31以外の検査制御システム61および71も同様にＭＡＣアドレスが受信され，それぞれに格納されている携帯情報テーブルに格納される。認識システム11に格納されている携帯情報テーブルと検査制御システム31，61および71に格納されている携帯情報テーブルとが一致することとなる。
【００５４】
上述の実施例においては，認証システム11において携帯端末１の認証処理が行われているが，医局10に入ることのできる人間は第１検査室30，第２検査室60および第３検査室70に入ることのできる医療関係者に限られるとも考えられるので，携帯端末１を持った人間が医局に入ったことにより携帯端末１の認証が行われたものと考えてもよい。その場合には認証システム11における携帯端末１の認証処理は不要となる。
【００５５】
また，医局10の入り口などにゲートを設け，そのゲートを，携帯端末１を持った人間が通過することにより，上述のように携帯端末１のＭＡＣアドレスが認証システム11および検査制御システム31等に送信されるようにしてもよい。
【００５６】
図10および図11は，上述のように認証された携帯端末１を持ったユーザが第１検査室30に入る場合の処理手順を示すフローチャートである。第２検査室60または第３検査室70に入る場合も同様である。図10は携帯端末１の処理手順を示すフローチャート，図11は検査制御システム31の処理手順を示すフローチャートである。
【００５７】
第１検査室30，第２検査室60および第３検査室70の無線ＬＡＮは，接続するために上述のようにSSIDおよびパスワードを利用した認証が必要なものではなく，通信範囲内であるそれぞれの検査室30，60または70内に携帯端末１を持ったユーザが入ることにより通信可能となるものである。
【００５８】
認証システム11において認証された携帯端末１を持ったユーザが第１検査室30に入ると，携帯端末１と第１検査室30に配置されている検査制御システム31の無線ＬＡＮとが接続される（図10ステップ111）。すると，携帯端末１のＭＡＣアドレスが携帯端末１から検査制御システム31に送信される（図10ステップ112）。
【００５９】
携帯端末１から送信されたＭＡＣアドレスが検査制御システム31において受信されると（図11ステップ121），受信したＭＡＣアドレスが，検査制御システム31のデータベース40に格納されている携帯端末情報テーブルに格納されているかどうかが確認される（図11ステップ122）。
【００６０】
受信したＭＡＣアドレスが検査制御システム31の携帯端末情報テーブルに格納されていなければ（図11ステップ122でＮＯ），そのＭＡＣアドレスをもつ携帯端末１は認証システム11において認証を受けていないと考えられる。その携帯端末１を用いて検査制御システム31を操作できないようにするために，携帯端末１と検査制御システム31との無線ＬＡＮ通信は切断される。検査制御システム31から携帯端末１に接続失敗を示すデータが送信される（図11ステップ123）。
【００６１】
受信したＭＡＣアドレスが検査制御システム31の携帯端末情報テーブルに格納されていると（図11ステップ122でＹＥＳ），受信したＭＡＣアドレスを持っている携帯端末１は認証システム11において認証されたものであることが確認される。その携帯端末１を持っているユーザは第１検査室30に入る権限を有している医療関係者と考えられるので，携帯端末１と検査制御システム31の無線ＬＡＮとの接続が切断されずに接続許可を示すデータが検査制御システム31から携帯端末１に送信される（図11ステップ124）。携帯端末１を持って第１検査室30に入ったユーザは，携帯端末１を用いて検査制御システム31を操作できるようになる。携帯端末１を用いてＸ線画像診断装置50を操作できるようになる。同様に，認証システム11において認証された携帯端末１を持って第２検査室60または第３検査室70に入ることにより，携帯端末１を用いてマンモグラフィー62または内視鏡72を操作できるようになる。
【００６２】
図12および図13は，携帯端末１が認証システム11において認証されてから一定期間経過した場合に，端末情報テーブルから，認証された携帯端末１のＭＡＣアドレスを削除する処理を示している。図12は認証システム11の処理手順を示すフローチャート，図13は検査制御システム31の処理手順を示すフローチャートである。
【００６３】
認証システム11において一度認証された携帯端末１が，その後も制限無く検査制御システム31と無線ＬＡＮを用いて通信できるとすると，その携帯端末１を持っていれば病院を退職後も第１検査室30に入ることにより検査制御システム31を操作できてしまう。このために，この実施例では，認証システム11における認証から一定期間が経過すると，携帯端末情報テーブルからＭＡＣアドレスが削除される。これにより，認証から一定期間経過後は，認証された携帯端末１を用いて検査制御システム31等の操作ができなくなる。
【００６４】
認証システム11に格納されている携帯端末情報テーブルに，接続日から一定期間（たとえば，一日）経過した認証期限切れのＭＡＣアドレスが格納されているかどうかが確認される（図12ステップ131）。携帯端末情報テーブルに認証期限切れのＭＡＣアドレスが格納されていなければ（図12ステップ131でＮＯ），ステップ132以下の処理はスキップされる。携帯端末情報テーブルに認証期限切れのＭＡＣアドレスが格納されていると（図12ステップ131でＹＥＳ），その認証期限切れのＭＡＣアドレスが認証システム11から検査制御システム11，61および71に送信される（図12ステップ132）。
【００６５】
認証システム11から送信された，認証期限切れのＭＡＣアドレスが検査制御システム31，61および71において受信されると（図13ステップ141），検査制御システム31，61および71に格納されている携帯端末情報テーブルから，そのＭＡＣアドレスが削除される（図13ステップ142）。携帯端末情報テーブルから，認証期限切れのＭＡＣアドレスが削除されると，削除完了を示すデータが検査制御システム31から認証システム11に送信される（図13ステップ143）。
【００６６】
検査制御システム31から送信された削除完了を示すデータが認証システム11において受信されると（図12ステップ133），認証システム11に格納されている携帯端末情報テーブルからも認証期限切れのＭＡＣアドレスが削除される（図12ステップ134）。
【００６７】
認証システム11における認証から一定期間経過すると携帯端末情報テーブルからＭＡＣアドレスが削除されるので，一度認証されただけで永久に検査制御システム31等の操作ができてしまうことが未然に防止される。また，認証システム11に格納されている携帯端末情報テーブルの内容と検査制御システム31等に格納されている携帯端末情報テーブルの内容とを一致させているので，認証システムに格納されている携帯端末情報テーブルからは認証期限切れのＭＡＣアドレスが削除されているにも関わらず，検査制御システム31に格納されている携帯端末情報テーブルには認証期限切れのＭＡＣアドレスが残ってしまい，認証期限切れの携帯端末を用いて検査制御システム31等を操作できてしまうという不具合も未然に防止できる。
【００６８】
図14から図25は，他の実施例を示している。
【００６９】
上述した実施例は，第１検査室30等における無線ＬＡＮはSSIDおよびパスワードによる認証処理が行われないものであるが，この実施例では第１検査室30等における無線ＬＡＮはSSIDおよびパスワードによる認証処理が行われるものである。
【００７０】
図14は，携帯端末１Ａの電気的構成を示すブロック図である。この図において，図２に示す携帯端末１と同一物については同一符号を付して説明を省略する。
【００７１】
携帯端末１Ａにおいては，SSID設定装置８が含まれている。このSSID設定装置８は，後述するように，認証システム11から送信されるSSIDおよびパスワードを携帯端末１Ａに設定するものである。携帯端末１ＡにSSIDおよびパスワードが設定されることにより，携帯端末１Ａのユーザが携帯端末１ＡにSSIDおよびパスワードを入力することなく，第１検査室30の検査制御システム31の無線ＬＡＮと携帯端末１Ａとが通信できるようになる。
【００７２】
図15は，認証システム11Ａの電気的構成を示すブロック図である。この図において，図３に示すものと同一物については同一符号を付して説明を省略する。
【００７３】
認証システム11Ａは，認証システム11と同様に医局10に配置される。
【００７４】
認証システム11Ａには，無線ＬＡＮ情報管理テーブル22が格納されているハードディスク22および無線ＬＡＮ情報通知装置21が含まれている。検査制御システム無線ＬＡＮ情報テーブル22は，第１検査室30，第２検査室60および第３検査室70内における無線ＬＡＮに接続するSSID，パスワード等の無線ＬＡＮ情報を格納するものである。無線ＬＡＮ情報通知装置21は，無線ＬＡＮ情報テーブルに格納されている無線ＬＡＮ情報を第１検査室30等に配置されている検査制御システム31等に送信するものである。
【００７５】
図16（Ａ）および図16（Ｂ）は，無線ＬＡＮ情報管理テーブルの一例である。図16（Ａ）は更新前の無線ＬＡＮ情報管理テーブルの一例であり，図16（Ｂ）は更新後の無線ＬＡＮ情報管理テーブルの一例である。
【００７６】
これらの図を参照して，無線ＬＡＮ情報管理テーブルには，第１検査室30，第２検査室60および第３検査室70にそれぞれ配置されている医療機器であるＸ線画像診断装置50，マンモグラフィー62および内視鏡72にそれぞれ対応して医療機器のＭＡＣアドレス，SSID，認証方式，パスワードおよび更新日が格納されている。医療機器に対応して格納されているSSID等を用いることにより，その医療機器が配置されている検査室30，60または70内の無線ＬＡＮを利用できることとなる。更新日は，医療機器に対応して検査制御システム無線ＬＡＮ情報テーブルに格納されている無線ＬＡＮ情報が更新された日時を示している。無線ＬＡＮ情報を用いて無線ＬＡＮにアクセスする認証が行われることとなるから，一定期間ごとに無線ＬＡＮ情報が更新されることにより，セキュリティが向上することとなる。
【００７７】
図17は，検査制御システム31Ａの電気的構成を示すブロック図である。この検査制御システム31Ａも検査制御システム31と同様に第１検査室30に配置され，検査制御システム31ＡによってＸ線画像診断装置50が制御される。検査制御システム61および71も検査制御システム31Ａと同様の構成にしてもよい。
【００７８】
制御システム31Ａには無線ＬＡＮ認証情報テーブル（図25（Ａ），（Ｂ））が格納されるハードディスク41が含まれている。制御システム31Ａは，Ｘ線画像診断装置50を制御するものであるから，検査制御システム無線ＬＡＮ情報テーブルに格納されているＸ線画像診断装置についてのＭＡＣアドレス，SSID，認証方式，パスワードおよび更新日が格納されたテーブルが，検査制御システム31Ａの無線ＬＡＮ情報テーブルとなる。
【００７９】
図18および図19は，携帯端末情報テーブルにＭＡＣアドレスを登録する処理手順および携帯端末１Ａに無線ＬＡＮ情報を設定する処理手順を示している。図18は，図７に対応するもので，携帯端末１Ａの処理手順を示すフローチャートである。図18において図７に示す処理と同一の処理については同一符号を付して説明を省略する。図19は，図８に対応するもので，認証システム11Ａの処理手順を示すフローチャートである。図19において図８に示す処理と同一の処理については同一符号を付して説明を省略する。
【００８０】
上述のように，医局10内において携帯端末１Ａから認証システム11Ａに携帯端末１ＡのＭＡＣアドレス，SSIDおよびパスワードが送信され（図18ステップ81，82），認証システム11Ａにおいて受信される（図19ステップ91）。認証システム11Ａにおいて携帯端末１Ａが認証されると（図19ステップ92，93でＹＥＳ），上述のように，認証された携帯端末１ＡのＭＡＣアドレスが認証システム11Ａの携帯端末情報テーブルに格納され，かつ制御システム31Ａに送信される（図19ステップ95，96）。さらに，この実施例では，携帯端末１Ａが認証システム11Ａにおいて認証されると，接続成功を示すデータのほかに制御システムの無線ＬＡＮ情報（図16（Ａ）に示すように，医療機器名，医療機器のＭＡＣアドレス，SSID，認証方式，パスワードおよび更新日である。）が認証システム11Ａから携帯端末１Ａに送信される（図19ステップ97Ａ）。
【００８１】
認証システム11Ａから送信された接続成功を示すデータおよび制御システム無線ＬＡＮ情報が携帯端末１Ａにおいて受信されると（図18ステップ84），受信された無線ＬＡＮ情報が携帯端末１Ａに設定される（図18ステップ85）。携帯端末１Ａに無線ＬＡＮ情報が設定されるので，第１検査室30の検査制御システム31等に無線ＬＡＮ通信する場合にSSIDおよびパスワードの入力が必要なときでも携帯端末１Ａのユーザは，SSIDおよびパスワードの入力が不要となる。
【００８２】
図20および図21は，上述のように無線ＬＡＮ情報が設定された携帯端末１Ａを用いて第１検査室30の検査制御システム31と無線ＬＡＮ通信する処理手順を示している。携帯端末１Ａを用いて第２検査室60の検査制御システム61または第３検査室70の検査制御システム71と無線ＬＡＮ通信する処理手順も同様である。図20は図10に対応するもので，携帯端末１Ａの処理手順を示すフローチャートである。図21は図11に対応するもので検査制御システム31Ａの処理手順を示すフローチャートである。図21において図11に示す処理と同一の処理ついては同一符号を付して説明を省略する。この実施例では，第１検査室30に配置されている検査制御システム31と無線ＬＡＮ通信する場合，検査制御システム31においてSSID等を用いた認証処理が行われる。
【００８３】
上述のように，検査制御システム無線ＬＡＮ情報が設定されている携帯端末１をもったユーザが第１検査室30に入ると，そのユーザは，携帯端末１Ａの表示画面にネットワーク設定画像を表示する（図20ステップ114）。
【００８４】
図22は，携帯端末１Ａの表示画面150に表示されるネットワーク設定画像の一例である。
【００８５】
ネットワーク設定画像の上部には，「無線ＬＡＮ設定」および「ネットワークを選択する」の文字列が表示されている。これらの文字列の下には，上述のように設定された検査制御システム無線ＬＡＮ情報のうち，SSIDが一覧で表示されている。SSID「XABCDE」151は，第１検査室30に配置されているＸ線画像診断装置50を制御する検査制御システム31の無線ＬＡＮのSSIDである。SSID「M00EFGA」152は，第２検査室40に配置されているマンモグラフィー62を制御する検査制御システム61の無線ＬＡＮのSSIDである。SSID「NOKYAA」153は，第３検査システム70に配置されている内視鏡72を制御する検査制御システム71の無線ＬＡＮのSSIDである。SSID「FON FREE」154は，アクセス制限の無い無線ＬＡＮのSSIDである。
【００８６】
携帯端末１Ａのユーザは，携帯端末１Ａの表示画面150に表示されているSSIDの一覧の中から所望のSSIDを選択する。この実施例では，第１検査室30に配置されている検査制御システム31の無線ＬＡＮと携帯端末１Ａとが通信するのであるから，SSID「XABCDE」151が選択される（タッチされる）（図20ステップ115）。すると，携帯端末１ＡのＭＡＣアドレスならびに選択されたSSID「XABCDE」およびパスワードが携帯端末１Ａから検査制御システム31に送信される（図20ステップ116）。
【００８７】
携帯端末１Ａから送信されたＭＡＣアドレス，SSIDおよびパスワードが検査制御システム31Ａにおいて受信されると（図21ステップ121Ａ），上述のように，携帯端末１Ａが検査制御システム31と無線ＬＡＮ通信するのに許可されているものであるかどうかを確認するために，携帯端末１ＡのＭＡＣアドレスが検査制御システム31の携帯端末情報テーブル（図５参照）に格納されているかどうかが確認される（図21ステップ122）。携帯端末１ＡのＭＡＣアドレスが検査制御システム31の携帯端末情報ーブルに格納されていると（図21ステップ122でＹＥＳ），上述のように，その携帯端末１Ａは医局10の認証システム11において認証されているものであることが分る。つづいて，この実施例では，検査制御システム31Ａにおいて受信したSSIDおよびパスワードが検査制御システム31に記憶されている無線ＬＡＮ認証情報テーブル（図25（Ａ）参照）に格納されているかどうかも確認される（図21ステップ125）。これらのSSIDおよびパスワードも検査制御システム31に記憶されている無線ＬＡＮ情報管理テーブルに格納されていると（図21ステップ125でＹＥＳ），その検査端末１Ａは認証システム11からSSIDおよびパスワードを得ていることとなる。検査端末１Ａによる検査制御システム31の無線ＬＡＮ通信が許可され，接続許可データが検査制御システム31Ａから検査端末１Ａに送信される（図21ステップ124）。
【００８８】
検査制御システム31Ａにおいて受信したＭＡＣアドレスが検査制御システム31Ａの検査端末情報テーブルに格納されていない（図21ステップ122でＮＯ），あるいは検査制御システム31Ａにおいて受信したSSIDまたはパスワードが検査制御システム31Ａの無線ＬＡＮ認証情報テーブルに格納されていない（図21ステップ125でＮＯ）場合には，接続失敗を表わすデータが検査制御システム31Ａから携帯端末１Ａに送信される（図21ステップ123）。
【００８９】
検査制御システム31Ａから送信された接続許可を表すデータが携帯端末１Ａにおいて受信されると（図20ステップ117），携帯端末１Ａを用いて検査制御システム31を操作できるようになる。検査制御システム31Ａから送信された接続失敗を表すデータが携帯端末１Ａにおいて受信されると（図20ステップ117），その携帯端末１Ａを用いて検査制御システム31の操作ができなくなる。
【００９０】
この実施例では，ＭＡＣアドレスを利用して携帯端末１Ａが検査制御システム31Ａを操作できるか認証するだけでなく，SSIDおよびパスワードを利用して携帯端末１Ａが検査制御システム31Ａを操作できるかの認証も行っているので，よりセキュリティが向上する。また，検査制御システム31Ａ等と無線ＬＡＮ通信する場合にSSIDおよびパスワードの入力が必要であっても，携帯端末１ＡにSSIDおよびパスワードが設定されるので，ユーザが入力する必要がない。
【００９１】
図23および図24は，無線ＬＡＮ情報管理テーブルの更新処理手順を示すフローチャートである。図23は，図12に対応するもので，認証システム11Ａの処理手順を示すフローチャートであり，図24は，図13に対応するもので，検査制御システム31Ａの処理手順を示すフローチャートである。
【００９２】
医局10に配置されている認証システム11に格納されている無線ＬＡＮ情報管理テーブルに認証期限切れの無線ＬＡＮ情報が含まれているかどうかが確認される（図23ステップ161）。無線ＬＡＮ情報管理テーブルの最後の更新日から一定期間（例えば，12時間，一日，一週間）経過した無線ＬＡＮ情報が認証期限切れの無線ＬＡＮ情報とされる。
【００９３】
無線ＬＡＮ情報管理テーブルに認証期限切れの無線ＬＡＮ情報が含まれていると（図23ステップ161でＹＥＳ），その認証期限切れの無線ＬＡＮ情報が更新される（図23ステップ162）。
【００９４】
図16（Ｂ）は，無線ＬＡＮ情報の更新後の無線ＬＡＮ情報管理テーブルの一例である。
【００９５】
図16（Ｂ）に示す更新後のテーブルでは，図16（Ａ）に示す更新前のテーブルに格納されている無線ＬＡＮ情報と比較してSSIDおよびパスワードが更新されている。その更新日も新しくなっている。たとえば，Ｘ線画像診断装置50を制御する検査制御システム31の無線ＬＡＮのSSIDは「XABCDE」から「XXVFGD」に，パスワードは「abcd!!」から「ef!!gh」に更新されている。また，更新日も「2012年２月10日０時」から「2012年２月11日０時」に更新されている。マンモグラフィー62を制御する検査制御システム61および内視鏡72を制御する検査制御システム71のそれぞれの無線ＬＡＮのSSID，パスワードおよび更新日も更新されている。
【００９６】
認証システム11に格納されている無線ＬＡＮ情報管理テーブルに格納されている無線ＬＡＮ情報が更新されると，その更新済の無線ＬＡＮ情報が，認証システム11Ａから，更新された無線ＬＡＮ情報に対応する検査制御システムに送信される（図23ステップ163）。図16（Ｂ）に示す例では，上述のように検査制御システム31，61および71の無線ＬＡＮ情報が更新されているから，更新済みの無線ＬＡＮ情報が認証システム11Ａから検査制御システム31，61および71のそれぞれに送信される。以下，検査制御システム31に，更新された無線ＬＡＮ情報が送信される場合について説明する。
【００９７】
認証システム11Ａから送信された更新済みの無線ＬＡＮ情報が検査制御システム31Ａにおいて受信されると（図24ステップ171），受信した無線ＬＡＮ情報を用いて，検査制御システム31Ａに格納されている無線ＬＡＮ認証情報テーブルが更新される（図24ステップ172）。
【００９８】
図25（Ａ）および図25（Ｂ）は，検査制御システム31に格納されている無線ＬＡＮ認証情報テーブルの一例である。図25（Ａ）は更新前の無線ＬＡＮ認証情報テーブルの一例であり，図25（Ｂ）は更新後の無線ＬＡＮ認証情報テーブルの一例である。
【００９９】
図25（Ａ）を参照して，更新前の無線ＬＡＮ認証情報テーブルには，図16（Ａ）に示すように更新前の無線ＬＡＮ情報管理テーブルに格納されている無線ＬＡＮ情報と同じSSID，認証方式およびパスワードが格納されている。上述のように，更新された無線ＬＡＮ情報が受信されると，受信された無線ＬＡＮ情報が無線ＬＡＮ認証情報テーブルに格納される。図16（Ｂ）に示したように無線ＬＡＮ認証情報テーブルが更新されることとなる。
【０１００】
一定期間ごとに，認証システム11に格納されている無線ＬＡＮ情報管理テーブルが更新されるので，医局10の認証システム11において一度認証を受けたユーザが一定期間経過後は検査制御システム31等における操作をできなくなる。また，認証システム11に格納されている無線ＬＡＮ情報管理テーブルの更新に対応して，検査制御システム31（その他の検査制御システム61，71も同様である）に格納されている無線ＬＡＮ認証情報テーブルも更新されるので，更新後の検査制御システム無線ＬＡＮ情報テーブルを用いて認証されれば検査制御システム31を操作することができるようになる。
【０１０１】
検査制御システム31Ａにおいて無線ＬＡＮ認証情報テーブルが更新されると，更新完了を示すデータが検査制御システム31Ａから認証システム11Ａに送信される（図24ステップ173）。
【０１０２】
検査制御システム31Ａから送信された無線ＬＡＮ認証情報テーブルの更新完了を示すデータが認証システム11Ａにおいて受信される（図23ステップ164）。
【０１０３】
上述の実施例においては，病院内の医療機器を制御するものについて説明したが，医療機器に限らず，端末装置を用いて機器を操作するものに適用できるのはいうまでもない。
【０１０４】
上述の実施例では，認証システム11Ａから携帯端末１Ａに無線ＬＡＮ情報が送信され，無線ＬＡＮ情報を受信した携帯端末１Ａが，その無線ＬＡＮ情報を自動的に設定しているが，無線ＬＡＮ情報を認証システム11Ａから携帯端末１Ａに電子メール等で送信し，携帯端末１Ａのユーザが手動で設定するようにしてもよい。
【符号の説明】
【０１０５】
１，２  携帯端末（操作用携帯端末装置）
10  医局（認証用室）
11  認証システム
16  無線ＬＡＮ送受信装置（第１の端末識別情報受信手段）
18  携帯端末情報制御装置（携帯識別情報送信手段）
30  第１検査室
31  検査制御システム（制御システム）
32  ＣＰＵ（許可手段）
36  無線ＬＡＮ送受信装置（第３の端末識別情報受信手段）
37  携帯端末情報送受信装置（第２の端末識別情報受信手段）
40  データベース（第１の端末識別情報記憶手段）
50  Ｘ線画像診断装置
【図１】
0005616917.tif 000002
【図２】
0005616917.tif 000003
【図３】
0005616917.tif 000004
【図４】
0005616917.tif 000005
【図５】
0005616917.tif 000006
【図６】
0005616917.tif 000007
【図７】
0005616917.tif 000008
【図８】
0005616917.tif 000009
【図９】
0005616917.tif 000010
【図１０】
0005616917.tif 000011
【図１１】
0005616917.tif 000012
【図１２】
0005616917.tif 000013
【図１３】
0005616917.tif 000014
【図１４】
0005616917.tif 000015
【図１５】
0005616917.tif 000016
【図１６】
0005616917.tif 000017
【図１７】
0005616917.tif 000018
【図１８】
0005616917.tif 000019
【図１９】
0005616917.tif 000020
【図２０】
0005616917.tif 000021
【図２１】
0005616917.tif 000022
【図２２】
0005616917.tif 000023
【図２３】
0005616917.tif 000024
【図２４】
0005616917.tif 000025
【図２５】
0005616917.tif 000026